(57)【特許請求の範囲】
【請求項１】
中心軸にフィラメントが設けられたバルブと、該フィラメントの両端に電気的に接続された外部リードと、該一方の外部リードに電気的に接続された一方の端子又は該一方の外部リードが挿通されたベースと、該他方の外部リードに電気的に接続された他方の端子と、を備えた管型白熱ランプと、該一方の端子又はベースを保持する一方のランプ保持部と、該他方の端子を保持する他方のランプ保持部と、を具備するフレームと、からなる加熱装置において、
該一方の端子又は該ベースは、該管型白熱ランプの軸方向に対して直交方向への移動が規制されると共に、該一方のランプ保持部に対して該軸方向で相対的に移動されるように、該一方のランプ保持部に設けられ、
該他方の端子は、該管型白熱ランプの軸方向に対して直交方向への移動が規制されると共に、該他方の端子と該他方のランプ保持部に対して該軸方向で相対的に移動されるように、該他方のランプ保持部に設けられ、
該管型白熱ランプの軸方向への移動が規制されるように、該一方の端子又は該ベースが一方のランプ保持部に設けられると共に他方の端子が他方のランプ保持部に設けられ、
該管型白熱ランプの軸方向への移動が規制される構成は、該軸方向における該一方の端子又は該ベースの外方に対向する面が一方のランプ保持部に設けられ、該軸方向における他方の端子の外方に対向する面が他方のランプ保持部に設けられたことにより構成された
ことを特徴とする加熱装置。
【請求項２】
該一方の端子又は／及び該他方の端子には、該管型白熱ランプの軸方向に対して直交する方向に突設する接続部が設けられ、
該一方のランプ保持部又は／及び他方のランプ保持部には、該接続部を挿通する接続部挿通孔が設けられ、
該管型白熱ランプが複数本並列配置され、
該管型白熱ランプの各一対の端子における一方側又は他方側のいずれかの端子が一体に構成され、
該接続部が該複数の管型白熱ランプの並列配置方向と異なる方向に突設された
ことを特徴とする請求項１に記載の加熱装置。
【請求項３】
該管型白熱ランプが複数本並列配置され、
該管型白熱ランプの各一対の端子における一方側の端子が一体に構成され、
該各管型白熱ランプの各他方の端子間に位置する隔壁が該他方のランプ保持部に設けられた
ことを特徴とする請求項１または２に記載の加熱装置。
【発明の詳細な説明】
【技術分野】
【０００１】
本発明は、複写機やプリンター等のトナー定着装置に用いられる加熱装置に関する。
【背景技術】
【０００２】
トナー定着装置に用いられる加熱装置としては、特許文献１や特許文献２に記載されるものがあった。
【０００３】
従来に係る加熱装置１について、図１２及び図１３を用いて説明する。
図１２は、従来に係る加熱装置１の説明図であり、加熱装置１を構成する円筒のローラ３の管軸方向に沿った断面図である。図１３は、図１２に記載の加熱装置１を構成する管型白熱ランプ２の説明図であり、管型白熱ランプ２の軸方向に沿った断面図である。
なお、図１３は、図１２に示したものと同じものに同一の符号が付されている。
【０００４】
従来に係る加熱装置１は、円筒のローラ３を具備し、そのローラ３の一方の端部にはローラ３の外周面を遊嵌すると共にローラ３を保持するローラ保持体５が設けられ、ローラ３の他方の端部の外周面にはギア３１が設けられる。ローラ３に設けられたギア３１には、ローラ３の中心軸に対して回転駆動させるため、駆動体４が歯合するように設けられる。
【０００５】
円筒のローラ３には、その中心軸に延在するように管型白熱ランプ２が設けられる。管型白熱ランプ２に沿って並行に延びるように例えばポリフェニレンサルファイド（ＰＰＳ）からなるフレーム６が設けられる。管型白熱ランプ２の長手方向における両端には端子２６１，２６２が設けられ、フレーム６が具備するランプ保持部６１，６２に載置される。管型白熱ランプ２の一対の端子２６１，２６２には、後述する貫通孔（図１３における符号２６１Ａ，図１２及び図１３における符号２６２Ａ）が設けられている。
管型白熱ランプ２の端子２６１，２６２の貫通孔２６１Ａ，２６２Ａには、固定体７であるネジの棒部分が挿通される。この固定体７の棒部分には螺旋状の溝が設けられており、この棒部分とフレーム６のランプ保持部６１，６２に設けた取付孔６１Ａ，６２Ａとが螺合される。
これにより、管型白熱ランプ２の一方の端子２６１は、固定体７を構成する頭部分とフレーム６の一方のランプ保持部６１とに挟持され固定される。また、管型白熱ランプ２の他方の端子６２は、固定体７を構成する頭部分とフレーム６の他方のランプ保持部６２との間で緩んだ状態で挟持されて保持される。
【０００６】
管型白熱ランプ２の構成について、図１３を用いて説明する。
管型白熱ランプ２は、例えば石英ガラスのような光透過性を有するバルブ２１の中心軸にフィラメント２２を延在させるように設けられる。
フィラメント２２の両端には、フィラメント２２の長手方向に延びるように棒状の内部リード２３が電気的に接続される。内部リード２３に電気的に接続された金属箔２４は、バルブ２１の両端に設けられた封止部２１１に埋設される。この封止部２１１は、バルブ２１を形成するパイプ体を溶融状態にして圧潰するピンチシール法により形成されたものである。この封止部２１１に埋設された金属箔２４には、封止部２１１の端部から突出する棒状の外部リード２５が電気的に接続される。
【０００７】
この外部リード２５には、板状の金属端子２６１，２６２が設けられる。この端子２６１，２６２には、図示しない給電線を取付けるためのファストンタブと呼ばれる接続部２６１Ｂ，２６２Ｂが設けられる。接続部２６１Ｂ，２６２Ｂには、その中央に保持孔２６１Ｄ，２６２Ｄと先端を尖らせるための傾斜部２６１Ｃ，２６２Ｃが設けられる。
また、端子２６１，２６２には、前述の貫通孔２６１Ａ，２６２Ａが設けられており、一方の端子２６１には図１２に示す固定体７の棒部分が挿通できる程度の貫通孔２６１Ａが設けられており、他方の端子２６２には管型白熱ランプ２の軸方向に伸びる長孔状の貫通孔２６２Ａが設けられる。
【０００８】
上述のように、従来の加熱装置１は、管型白熱ランプ２の端子２６１，２６２をフレーム６のランプ保持部６１，６２に載置し、固定体７によって端子２６１，２６２とランプ保持部６１，６２とを挟持することで、管型白熱ランプ２を円筒のローラ３の中心軸に延在するようにフレーム６で保持していた。
【０００９】
このような従来の加熱装置１は図示しない電源に接続されて稼動される。加熱装置稼動時において、管型白熱ランプ２は、その両端に設けた端子２６１，２６２から給電され、フィラメント２２から照射熱が放射される。円筒のローラ３は、駆動体４によりギア３１を介して回転駆動される。
このように加熱装置１はローラ３の回転駆動による振動を受けるが、管型白熱ランプ２は、一方の端子２６１の貫通孔２６１Ａに固定体７の棒部分が挿通されると共に、一方の端子２６１が一方のランプ保持部６１と挟持されることにより、管型白熱ランプ２の軸方向における移動が規制される。さらに、管型白熱ランプ２は、その両端の端子２６１，２６２がランプ保持部６１，６２と挟持されることで、管型白熱ランプ２の軸方向に対して直交方向の移動も規制される。これらにより、加熱装置稼動時においても、管型白熱ランプ２はローラ３の中心軸に延在することができ、そのローラ３の外周面を流れる例えばトナーが塗布された媒体を均一に加熱することができ、媒体にトナーを好適に定着することができる。
【００１０】
管型白熱ランプ２のバルブ２１を構成する部材とフレーム６を構成する部材とは、前述のように異なる部材により構成される。バルブ２１は例えば石英ガラスのような光透過性を有するガラス部材であり、フレーム６は例えばポリフェニレンサルファイド（ＰＰＳ）のような耐熱性を有する樹脂部材である。
各部材は、管型白熱ランプ２からの照射熱を受けるので、熱膨張をすることになる。このとき、管型白熱ランプ２のバルブ２１を構成する部材とフレーム６を構成する部材とが異なることにより、その熱膨張量にも差が発生し、フレーム６の方がバルブ２１よりも大きく膨張する。
管型白熱ランプ２の他方の端子２６２に設けた貫通孔２６２Ａは、管型白熱ランプ２の軸方向に沿って延びるように設けられており、図１２に示すように、加熱装置稼動前においては、貫通孔２６２Ａがランプの管軸方向に伸びる長孔状であるため、固定体７と他方の端子２６２の貫通孔２６２Ａとの間に隙間が形成されている。この隙間が、加熱装置稼動時において、バルブ２１とフレーム６との熱膨張量差を以下のように許容する。
加熱装置稼動時において、フレーム６が図１２における紙面左右方向に膨張し、これに伴って、フレーム６に具備された一方のランプ保持部６１と他方のランプ保持部６２が相対的に紙面左右方向に離れていき、各ランプ保持部６１，６２に螺合された各固定体７も離れていく。管型白熱ランプ２は、一方の端子２６１と一方のランプ保持部６１とが固定されていることから、紙面右方向に移動される。これに対し、管型白熱ランプ２の他方の端子２６２の貫通孔２６２Ａには、他方のランプ保持部６２に螺合された固定体７との間に隙間が形成されており、管型白熱ランプ２の紙面右方向への移動に伴って、この隙間を固定体７が埋めていき、図示しないが、固定体７の紙面左側に隙間を形成していく。このように、バルブ２１とフレーム６との熱膨張量差を許容することにより、加熱装置稼動時においても、ローラ３の中心軸には管型白熱ランプ２が位置することができる。
【００１１】
なお、従来に係る加熱装置１は、管型白熱ランプ２が１本のものを示して説明したが、例えば特許文献２にあるように複数本の管型白熱ランプ２を具備したものも知られていた。
【００１２】
【特許文献１】特開２００６−３１００７６公報
【特許文献２】特開２００１−２１０２８０公報
【発明の開示】
【発明が解決しようとする課題】
【００１３】
近時の要望として、固定体７であるネジによる接続を少なくしたいというものがあった。これは、図１２に示すように、管型白熱ランプ２の長手方向における両端にネジがあると一端側をネジ止めした後に、他端側のネジ止めをしなくてはならず手間がかかるためである。また、ネジ止めをしたとき、ネジの頭部分と端子２６１，２６２とが接触することで端子２６１，２６２にトルクがかかってしまい、端子２６１，２６２に接続された外部リード２５や、外部リード２５の一部を埋設する封止部２１１に負荷がかかって破損する問題があった。
このために、例えば他方の端子２６２側のネジをなくすことが考えられるが、この場合他方の端子２６２には管型白熱ランプ２の軸方向に対して直交方向への移動防止がなくなる。これにより、加熱装置稼動時に、駆動体４の振動を受けて、他方の端子２６２が管型白熱ランプ２の軸方向に対して直交方向へ移動しようとすると、管型白熱ランプ２が円筒のローラ３に対して所望の位置である中心軸から移動してしまい、ローラ３の外面を流れるトナーを塗布された媒体を均一に加熱できない問題があった。
【００１４】
そこで、本発明の目的は、管型白熱ランプを位置決めできると共に、固定体であるネジを少なくした加熱装置を提供することである。
【課題を解決するための手段】
【００１５】
第１の発明に係る加熱装置は、中心軸にフィラメントが設けられたバルブと、該フィラメントの両端に電気的に接続された外部リードと、該一方の外部リードに電気的に接続された一方の端子又は該一方の外部リードが挿通されたベースと、該他方の外部リードに電気的に接続された他方の端子と、を備えた管型白熱ランプと、該一方の端子又はベースを保持する一方のランプ保持部と、該他方の端子を保持する他方のランプ保持部と、を具備するフレームと、からなる加熱装置において、該一方の端子又は該ベースは、該管型白熱ランプの軸方向に対して直交方向への移動が規制されると共に、該一方のランプ保持部に対して該軸方向で相対的に移動されるように、該一方のランプ保持部に設けられ、該他方の端子は、該管型白熱ランプの軸方向に対して直交方向への移動が規制されると共に、該他方の端子と該他方のランプ保持部に対して該軸方向で相対的に移動されるように、該他方のランプ保持部に設けられ、該管型白熱ランプの軸方向への移動が規制されるように、該一方の端子又は該ベースが一方のランプ保持部に設けられると共に他方の端子が他方のランプ保持部に設けられ、該管型白熱ランプの軸方向への移動が規制される構成は、該軸方向における該一方の端子又は該ベースの外方に対向する面が一方のランプ保持部に設けられ、該軸方向における他方の端子の外方に対向する面が他方のランプ保持部に設けられたことにより構成されたことを特徴とする。
【００１６】
第２の発明に係る加熱装置は、該一方の端子又は／及び該他方の端子には、該管型白熱ランプの軸方向に対して直交する方向に突設する接続部が設けられ、該一方のランプ保持部又は／及び他方のランプ保持部には、該接続部を挿通する接続部挿通孔が設けられ、該管型白熱ランプが複数本並列配置され、該管型白熱ランプの各一対の端子における一方側又は他方側のいずれかの端子が一体に構成され、該接続部が該複数の管型白熱ランプの並列配置方向と異なる方向に突設されたことを特徴とする。
【００１７】
第３の発明に係る加熱装置は、該管型白熱ランプが複数本並列配置され、該管型白熱ランプの各一対の端子における一方側の端子が一体に構成され、該各管型白熱ランプの各他方の端子間に位置する隔壁が該他方のランプ保持部に設けられたことを特徴とする。
【発明の効果】
【００２３】
第１の発明に係る加熱装置は、上記特徴により、管型白熱ランプの軸方向及び直交方向への移動を規制でき、管型白熱ランプへの直接のネジ止めを無くすことができる。
【００２４】
第２の発明に係る加熱装置は、上記特徴により、複数の管型白熱ランプから接続部を不所望に突出することを防止できる。
【００２５】
第３の発明に係る加熱装置は、上記特徴により、他方のランプ保持部に設けた隔壁によって複数の管型白熱ランプ間の位置決めをすることができる。
【発明を実施するための最良の形態】
【００３１】
本発明の加熱装置は、管型白熱ランプを所望の位置に位置決めするため、他方の端子に直接ネジ止めを設けず、他方の端子における該管型白熱ランプの軸方向に対して直交方向への移動を規制するように、該他方の端子を該他方のランプ保持部に設け、且つ、該管型白熱ランプの軸方向の移動を規制するように構成したことを特徴とする。
【００３２】
まず、本発明の加熱装置１の第１の実施例としては、管型白熱ランプの一方の端子がランプ保持部に固定される加熱装置１について図１〜図３を用いて説明する。
【００３３】
図１は、第１の実施例に係る加熱装置１の説明図であり、加熱装置１を構成する円筒のローラ３の管軸方向に沿った断面図である。図２（ａ）は、図１に記載の加熱装置１を構成する管型白熱ランプ２とフレーム６の一部を示し、これらを分解した斜視図である。また、図２（ｂ）及び（ｃ）は、図２（ａ）の他方のランプ保持部６２の構造の説明図であり、図２（ｂ）が図２（ａ）の他方のランプ保持部のＡ−Ａ断面図（管型白熱ランプ２の軸方向に対して直交する断面図）であり、図２（ｃ）が図２（ａ）の他方のランプ保持部６２のＢ−Ｂ断面図（管型白熱ランプ２の軸方向に沿った断面図）である。
なお、図１及び図２には、図１０に示したものと同じものに同一の符号が付されている。
【００３４】
第１の実施例に係る加熱装置１は、例えばアルミニウムからなる円筒のローラ３と、該円筒のローラ３の中心軸に延在する管型白熱ランプ２と、管型白熱ランプ２の長手方向に沿って並行する例えばポリフェニレンサルファイド（ＰＰＳ）のような耐熱性を有する樹脂部材からなるフレーム６とにより構成される。
【００３５】
円筒のローラ３の管軸方向における一方の端部には、ローラ３の外周面を遊嵌すると共に、ローラ３をフレーム６上で保持するローラ保持体５が設けられる。また、円筒のローラ３の管軸方向における他方の端部には、ギア３１が設けられる。加熱装置稼動時にローラ３を回転駆動させるため、ローラ３の他方の端部に設けられたギア３１には、ローラ３の管軸に対して回転駆動させる駆動体４が歯合するように設けられ、該駆動体４がフレーム６上に載置される。
【００３６】
円筒のローラ３の中心に位置する管型白熱ランプ２には、その長手方向の両端に一対の端子２６１，２６２が設けられる。
管型白熱ランプ２の一対の端子２６１，２６２は、図２に示すように、板状の例えばステンレスからなる金属部材により構成され、管型白熱ランプ２の封止部２１１の端部から突出する棒状の外部リード２５に例えばスポット溶接のような抵抗溶接により圧接される。
【００３７】
板状の一方の端子２６１には、棒状の外部リード２５の軸方向に延びる外方の位置に固定体７である例えばネジを挿通する貫通孔２６１Ａが設けられる。また、板状の一方の端子２６１には、外部リード２５の軸方向に対して垂直方向の外方に、板状の一方の端子２６１が構成する平坦面に対して垂直方向に伸びる板状の接続部２６１Ｂが設けられる。この接続部２６１Ｂはファストンタブとも呼ばれ、図示しない給電線を接続する部分である。
【００３８】
板状の他方の端子２６２においても、板状の他方の端子２６２が構成する平坦面に対して垂直方向に延びる板状の接続部２６２Ｂが設けられる。
【００３９】
このような管型白熱ランプ２の一対の端子２６１，２６２は、図１に示すようにフレーム６が具備するランプ保持部６１，６２に配置される。
このフレーム６は、図１に示すように管型白熱ランプ２の長手方向に沿って並行に配置され、他方の端子２６２側においては、他方の端子２６２側に向かって延びる概略Ｌ字状の断面形状を有する。
管型白熱ランプ２の一方の端子２６１側において、フレーム６には一方の端子２６１を載置する一方のランプ保持部６１が設けられる。また、管型白熱ランプ２の他方の端子２６２側において、フレーム６には他方の端子２６２を載置する他方のランプ保持部６２が設けられる。
【００４０】
フレーム６が具備するランプ保持部６１，６２の構成については、図２を用いて説明する。
フレーム６の一方のランプ保持部６１には、管型白熱ランプ２の一方の端子２６１が載置される面に、固定体７であるネジが螺合される取付孔６１Ａ設けられる。
【００４１】
フレーム６の他方のランプ保持部６２は、図２（ｃ）に示すように、板状の他方の端子２６２が挿入される挿込口６２Ｇが設けられ、その挿込口６２Ｇから連続すると共に板状の他方の端子２６２の後述する側面が摺接される摺接面（図２（ｂ）における符号６２Ｃ）が設けられる。また、他方のランプ保持部６２には、板状の他方の端子２６２を載置する載置面６２Ｂと、管型白熱ランプ２の軸方向に対して直交方向への移動を規制した浮き防止面６２Ｅが設けられる。このように他方のランプ保持部６２には、その挿込口６２Ｇに連続する載置面６２Ｂと、図２（ｂ）に示す載置面６２Ｂの平坦面の側縁から垂直方向に伸びる一対の摺接面６２Ｃと、この一対の摺接面６２Ｃのうちの一つに連続する共に載置面に対向する浮き防止面６２Ｅが設けられ、これら４面により構成された空間に他方の端子２６２が配置される。
また、他方のランプ保持部６２には、他方の端子２６２に設けた接続部２６２Ｂを挿通する接続部挿通孔６２Ｆが浮き防止面６２Ｅ側に設けられる。接続部挿通孔６２Ｆは、管型白熱ランプ２の長手方向に沿って伸びるように形成され挿込口６２Ｇに連通される。
他方のランプ保持部６２の挿込口６２Ｇに対向する面には、他方の端子２６２が配置される空間を介して、他方の端子２６２が突出することを防止した突出防止面６２Ｄが設けられる。
【００４２】
これらランプ保持部６１，６２は、フレーム６に固定されれば良く、フレーム６と一体又は別体に設けてもかまわない。ランプ保持部６１，６２を構成する部材としては、例えば、ポリフェニレンサルファイド（ＰＰＳ）のような耐熱性を有する樹脂部材が挙げられる。
【００４３】
ランプ保持部６１，６２に保持される端子２６１，２６２を具備した管型白熱ランプ２について、図３を用いて説明する。
図３は、図１に記載の加熱装置１を構成する管型白熱ランプ２の説明図である。図３（ａ）は管型白熱ランプ２を構成するバルブ２１の長手方向における断面図であり、図３（ｂ）は図２（ａ）に示す管型白熱ランプ２の他方の端子２６２側の拡大斜視図であり、図３は図２（ａ）に示す管型白熱ランプ２の一方の端子２６１側の拡大斜視図である。
なお、図３には、図１１に示したものと同じものに同一の符号が付されている。
【００４４】
管型白熱ランプ２は、直管状のバルブ２１と、該バルブ２１の中心軸に延在するフィラメント２２と、該フィラメント２２に電気的に接続されると共にバルブ２１の外部に設けられた端子２６１，２６２とにより構成される。
【００４５】
直管状のバルブ２１の内部には、その管軸に延在するように例えばタングステンからなるフィラメント２２が設けられ、該フィラメント２２から伸びる内部リード２３がバルブ２１の管軸に延在すると共にバルブ２１の端部に伸びるように設けられる。
【００４６】
内部リード２３には、直管状のバルブ２１の両端の封止部２１１に埋設されて例えばモリブデンのような金属箔２４に電気的に接続され、金属箔２４に電気的に接続されると共に封止部２１１からバルブ２１の外部に突出した棒状の外部リード２５が電気的に接続される。
このバルブ２１の封止部２１１は、バルブ２１を形成するパイプ体の両端に外部リード２５が配置され、そのパイプ体の両端を溶融状態にして圧潰するピンチシール法により形成され、バルブ２１の封止部２１１内にフィラメント２２と外部リード２５とを電気的に接続する金属箔２４が埋設される。圧潰された封止部２１１は、図３（ｂ）や（ｃ）に示すように、フィラメント２２を内部に配置するバルブ２１の直管形状に対して板状形状に形成される。
【００４７】
封止部２１１から突出する外部リード２５は、例えばステンレスからなる金属部材により構成された板状の端子２６１，２６２がスポット溶接のような抵抗溶接により圧接されることで電気的に接続される。この板状の端子２６１，２６２は、板状の封止部２１１が構成する平面方向に対して直交する方向に平行するように設けられる。
【００４８】
封止されたバルブ２１の内部には、例えばアルゴンのような不活性ガスと共に、例えば塩素や臭素のようなハロゲンガスが封入される。
【００４９】
図３（ｂ）に示す他方の端子２６２には、前述の他方のランプ保持部（図３（ｂ）に図示しない、図２における符号６２）の摺接面（図３（ｂ）に図示しない、図２における符号６２Ｃ）に摺接する側面２６２Ｅと、前述の他方のランプ保持部（図３（ｂ）に図示しない、図２における符号６２）の突出防止面（図３（ｂ）に図示しない、図２における符号６２Ｄ）に対向する端面２６２Ｆを具備し、直方体形状の金属板からなる。この直方体形状の他方の端子２６２は、最長辺が棒状の外部リード２５の軸方向に沿って伸びるように構成される。
他方の端子２６２においては、一対の側面２６２Ｅのうち一方の側面２６２Ｅ（図３（ｂ）における紙面奥側の側面２６２Ｅ）であって、該側面２６２Ｅにおける端面２６２Ｆ側に接続部２６２Ｂが設けられる。
接続部２６２Ｂは、板状の端子２６２に対して垂直方向（図３（ｂ）における紙面上方向）に突設され、その形状は封止部２１１の平面方向に平行な板状に設けられる。
【００５０】
図３（ｃ）に示す一方の端子２６１には、棒状の外部リード２５の軸方向に延びる外部リード２５の外方に円状の貫通孔２６１Ａが設けられる。一方の端子２６１の形状は、他方の端子２６２の形状と概略同じであり、直方体形状の板状である。この直方体形状の一方の端子は、最長辺が棒状の外部リード２５の軸方向に沿って伸びるように構成される。
一方の端子２６１においては、一対の側面２６１Ｅのうち一方の側面２６１Ｅ（図３（ｃ）における紙面奥側の側面２６１Ｅ）であって、該側面２６１Ｅにおける封止部２１１側に接続部２６１Ｂが設けられる。
【００５１】
一方の端子２６１及び他方の端子２６２にそれぞれ設けられた接続部２６１Ｂ，２６２Ｂには、その概略中央に保持孔２６１Ｄ，２６２Ｄが設けられ、その端部（図３（ｂ）及び（ｃ）における紙面上方側の端部）は肉厚が薄くなるように傾斜された傾斜部２６１Ｃ，２６２Ｃが設けられる。この接続部２６１Ｂ，２６２Ｂは、いわゆるファストンタブと呼ばれ、図示しない給電線が接続される。
【００５２】
第１の実施例に係る加熱装置１において、管型白熱ランプ２の端子２６１，２６２とフレーム６のランプ保持部６１，６２との詳細な構成について、図３で説明した管型白熱ランプ２の端子２６１，２６２を図２で説明したフレーム６のランプ保持部６１，６２に配置する手順を通じて説明する。
【００５３】
まず、管型白熱ランプ２の他方の端子２６２は、図２（ｃ）に示す他方のランプ保持部６２の挿込口６２Ｇから挿入される。このとき、他方の端子２６２の接続部２６２Ｂは挿込口６２Ｇに連通した接続部挿通孔６２Ｆから挿入される。挿込口６２Ｇから挿入された他方の端子２６２は、その側面２６２Ｅをランプ保持部６２の摺接面６２Ｃに摺動させつつ、他方のランプ保持部６２の突出防止面６２Ｄに当接する又はその手前に位置するまで挿入され、他方のランプ保持部６２の載置面６２Ｂに載置される。
【００５４】
続いて、管型白熱ランプ２の一方の端子２６１は、一方のランプ保持部６１に載置され、その貫通孔２６１Ａと一方のランプ保持部６１の取付孔６１Ａが連通するように配置される。一方の端子２６１の貫通孔２６１Ａからは、固定体７であるネジが挿入され、一方のランプ保持部６１の取付孔６１Ａと固定体７の棒部分とが螺合される。一方の端子２６１は、固定体７の略半球状の頭部と一方のランプ保持部６１とにより挟持されて、固定される。
このとき、他方の端子２６２は、その端面２６２Ｆが他方のランプ保持部６２に当接する又はその手前に位置する状態であり、他方のランプ保持部６２の突出防止面６２Ｄから反発する力が発生しないような状態で他方のランプ保持部６２に保持される。
【００５５】
このように、管型白熱ランプ２は、その両端に設けた端子２６１，２６２を介してフレーム６に保持される。
すなわち、一方の端子２６１側においては、一方のランプ保持部６１と固定体７により挟持されることで、管型白熱ランプ２の軸方向における移動とその軸方向に対して直交方向への移動を規制している。また、他方の端子２６２側においては、他方の端子２６２の側面２６２Ｅに対向する摺接面６２Ｃが設けられると共に他方の端子２６２の平坦面に対向する載置面６２Ｂと浮き防止面６２Ｅとが設けられることで、管型白熱ランプ２の軸方向に対して直交方向への移動を規制している。これらによって、管型白熱ランプ２全体は、その軸方向への移動を一方の端子２６１側に設けた固定手段により規制され、その軸方向に対して直交方向での移動を一方の端子２６１及び他方の端子２６２に設けたランプ保持部６１，６２との構成によって規制される。
【００５６】
このような第１の実施例に係る加熱装置１は、稼動時において、管型白熱ランプ２の接続部２６１Ｂ，２６２Ｂに設けた図示しない給電線を介して図示しない電源から給電され、円筒のローラ３に設けたギア３１と歯合する駆動体４にも図示しない電源から給電される。
【００５７】
加熱装置稼動時において、円筒のローラ３は、駆動体４によってローラ３の中心軸に対して回転駆動される。管型白熱ランプ２は、フィラメント２２から熱が照射され、その外周を回動するローラ３を加熱し、ローラ３の外周を流れる例えばトナーを塗布した媒体を加熱して、そのトナーを媒体に定着させる。
【００５８】
フレーム６上には、ローラ３を回転駆動させる駆動体４が載置されており、管型白熱ランプ２も保持されている。このため、管型白熱ランプ２は、加熱装置稼動時に、駆動体４の振動を受ける。
第１の実施例に係る加熱装置１は、加熱装置稼動時における駆動体４の振動を受ける場合においても、一方の端子２６１及び他方の端子２６２が管型白熱ランプ２の軸方向に対して直交方向への移動を規制されるようにランプ保持部６１，６２に設けられると共に、一方の端子２６１が管型白熱ランプ２の軸方向への移動を規制されることにより、例えばローラ３の中心軸のような所望の位置から移動することを防止することができる。
【００５９】
管型白熱ランプ２に平行に配置されたフレーム６は、加熱装置稼動時に加熱されることで膨張し、管型白熱ランプ２のバルブ２１を構成する部材が例えば石英ガラスのようなガラス部材であって、フレーム６を構成する部材が例えばポリフェニレンサルファイド（ＰＰＳ）のような耐熱性を有する樹脂部材であるときに、フレーム６の方がバルブより膨張量が大きい。
フレーム６が膨張したとき、管型白熱ランプ２の一方の端子２６１は、フレーム６の一方のランプ保持部６１に例えばネジ止めのような固定手段により軸方向の移動を規制されていることから、フレーム６の膨張と共に移動する。これに対して、管型白熱ランプ２の他方の端子２６２は、フレーム６の他方のランプ保持部６２に固定されていないので軸方向への移動を規制されていないことから、フレーム６の膨張と共に移動する一方の端子２６１と共に移動する。例えば図１を用いて説明すると、フレーム６が紙面左右方向に膨張したとき、一方の端子２６１は、フレーム６の紙面右側の膨張と共に紙面右側に移動する。これに対してフレーム６の他方のランプ保持部６２が紙面左側へ膨張しても、他方の端子２６２は、管型白熱ランプ２の一方の端子２６１が紙面右側へ移動しているので、同じく紙面右側に移動する。これにより、他方の端子２６２と他方のランプ保持部６２とが相対的に移動することになる。
すなわち、第１の実施例に係る加熱装置１は、フレーム６の膨張時において、他方の端子２６２と他方のランプ保持部６２とが軸方向が相対的に移動するように、他方の端子２６２を他方のランプ保持部６２に設けたことにより、フレーム６の膨張を許容することができる。
このとき、他方の端子２６２に設けた接続部２６２Ｂも他方のランプ保持部６２に対して相対的に移動されるが、他方のランプ保持部６２に設けた接続部挿通孔６２Ｆを管型白熱ランプ２の軸方向に沿って伸びるように設けたことにより、接続部２６２Ｂは接続部挿通孔６２Ｆに沿って移動され、フレーム６の膨張の膨張を許容することができる。
【００６０】
さらに、第１の実施例に係る加熱装置１は、フレーム６の膨張時において、他方の端子２６２の側面２６２Ｅと摺動する摺接面６２Ｃを他方のランプ保持部６２に設けたことにより、他方の端子２６２と他方のランプ保持部６２との軸方向の相対的な移動が摺接面６２Ｃに沿って行なわれ、管型白熱ランプ２が例えばローラ３の中心軸のような所望な位置から移動することを防止することができる。例えば図１を用いて説明すると、フレーム６が紙面左右方向に膨張するとき、他方の端子２６２の側面２６２Ｅと他方のランプ保持部６２の摺接面６２Ｃとが摺動することで、管型白熱ランプ２がその軸方向に対して直交方向（紙面奥手前方向）へ移動することを防止することができる。すなわち、管型白熱ランプ２は、加熱装置稼動前に位置したその管軸と同軸上の位置に、加熱装置稼動後においても位置することができる。
また、他方の端子２６２の一対の平坦面（図３（ａ）において、紙面手前側に見えている平坦面と、紙面奥側にある不図示の平坦面）を、載置面に載置させると共に浮き防止面に当接させるように構成することで、加熱装置稼動後における管型白熱ランプ２の軸方向に対して直交方向への移動を好適に防止することができる。
【００６１】
このように、第１の実施例に係る加熱装置１は、他方の端子２６２と他方のランプ保持部６２との構成を上述のようにすることにより、管型白熱ランプ２を例えばローラ３の中心軸のような所望に位置に保持することができ、他方の端子２６２側にネジ止めのような固定手段を設ける手間がないので簡便な構造とすることができる。
【００６２】
続いて、第１の実施例に係る加熱装置１に対して、他方の端子２６２と他方のランプ保持部６２とが異なる例として、図４及び図５を用いて説明する。
【００６３】
まず、本発明の加熱装置１の第２の実施例として、図４を用いて説明する。
図４は、第２の実施例に係る加熱装置１の説明図であり、図２に示した第１の実施例に係る加熱装置１と異なる部分を示したものである。図４（ａ）は、第２の実施例に係る加熱装置１の他方の端子２６２側を示した拡大斜視図である。また、図４（ｂ）及び図（ｃ）は、図２（ａ）の他方のランプ保持部６２の構造の説明図であり、図４（ｂ）が図４（ａ）の他方のランプ保持部６２のＣ−Ｃ断面図（管型白熱ランプ２の軸方向に対して直交する断面図）であり、図４（ｃ）が図４（ａ）の他方のランプ保持部６２のＤ−Ｄ断面図（管型白熱ランプ２の軸方向に沿った断面図）である。
なお、図４には、図２に示したものと同じものに同一の符号が付されている。
【００６４】
図４の加熱装置１は、板状の他方の端子の平面形状が板状の封止部２１１の平面形状と同一平面上に位置する点と、接続部２６１Ｂ，２６２Ｂが突設する方向が板状の他方の端子２６２の平面方向と同一方向である点で、図２の加熱装置１と相違する。
図４の加熱装置１の説明として、図１〜３で示した加熱装置１の説明と共通する部分は省略し、図２との相違点について述べる。
【００６５】
フレーム６の他方のランプ保持部６２は、図４（ｃ）に示すように、板状の他方の端子２６２が挿入される挿込口６２Ｇが設けられ、その挿込口６２Ｇから連続すると共に板状の他方の端子２６２の後述する側面（図４（ａ）における符号２６２Ｅ）が摺接される摺接面（図４（ｂ）における符号６２Ｃ）が設けられる。また、他方のランプ保持部６２には、板状の他方の端子２６２を載置する載置面６２Ｂと、管型白熱ランプ２の軸方向に対して直交方向への移動を規制した浮き防止面６２Ｅが設けられる。このように他方のランプ保持部６２には、その挿込口６２Ｇに連続する載置面６２Ｂと、図４（ｂ）に示す載置面６２Ｂの側縁から垂直方向に伸びる一対の摺接面６２Ｃと、この一対の摺接面６２Ｃを連接する共に載置面６２Ｂに対向する浮き防止面６２Ｅが設けられ、これら４面により構成された空間に他方の端子２６２が配置される。
また、他方のランプ保持部６２には、他方の端子２６２に設けた接続部２６２Ｂを挿通する接続部挿通孔６２Ｆが浮き防止面６２Ｅ側に設けられる。
他方のランプ保持部６２の挿込口６２Ｇに対向する面には、他方の端子２６２が配置される空間を介して、他方の端子２６２が突出することを防止した突出防止面６２Ｄが設けられる。
【００６６】
他方のランプ保持部６２に挿入される他方の端子２６２は、板状で構成され、その板状が構成する平坦面が板状の封止部２１１が構成する平面方向に平行になるように設けられる。
図４（ａ）に示す他方の端子２６２には、前述の他方のランプ保持部６２の摺接面（図４（ｂ）における符号６２Ｃ）に摺接する側面２６２Ｅと、前述の他方のランプ保持部６２の突出防止面（図４（ｃ）における符号６２Ｄ）に対向する端面２６２Ｆを具備し、直方体形状の金属板からなる。この直方体形状の他方の端子２６２は、最長辺が棒状の外部リード２５の軸方向に沿って伸びるように構成される。
【００６７】
他方の端子２６２においては、前述の浮き防止面６２Ｅに対向する上面（図４（ａ）における紙面上側の面）であって、該上面における封止部２１１側に接続部２６２Ｂが設けられる。
接続部２６２Ｂは、板状の他方の端子２６２が構成する平坦面（側面２６２Ｅが構成する平坦面）と同一平面上に（図３（ｂ）における紙面上方向）に突設され、その形状は封止部２１１の平面方向に平行な板状に設けられる。
【００６８】
図４に示す第２の実施例に係る加熱装置１においては、管型白熱ランプ２の他方の端子２６２とフレーム６のランプ保持部６２に配置する手順が、図２及び図３を用いて説明した内容と共通であるので、該手順の説明を省略する。
また、第２の実施例に係る加熱装置１は、管型白熱ランプ２の他方の端子２６２の構成と、フレーム６の他方のランプ保持部６２の構成とが第１の実施例に対して上述のように異なるが、作用・効果の点では第１の実施例と共通であるのでその説明を省略する。
【００６９】
続いて、第１の実施例に係る加熱装置１に対して、他方のランプ保持部６２の浮き防止面６２Ｅの形状が異なる例を図５（ａ）に示し、他方の端子２６２の形状が異なると共に他方のランプ保持部６２に設けた摺接面６２Ｃと浮き防止面６２Ｅとが異なる例を図５（ｂ）に示した。これらを第３の実施例と第４の実施例として説明する。
【００７０】
図５（ａ）は、第３の実施例に係る加熱装置１の説明図であり、図２に示した第１の実施例に係る加熱装置１と異なる部分を示したものである。図５（ａ）は、第３の実施例に係る加熱装置１の他方の端子２６２側を示した拡大斜視図である。
なお、図５（ａ）には、図２に示したものと同じものに同一の符号が付されている。
【００７１】
図５（ａ）の加熱装置１は、他方の端子２６２の接続部２６２Ｂの位置を側面２６２Ｅの中央に設けた点と、他方のランプ保持部６２の浮き防止面６２Ｅが一部削除された点で、図２の加熱装置１と相違する。
図５（ａ）の加熱装置１の説明として、図１〜３で示した加熱装置１の説明と共通する部分は省略し、図２との相違点について述べる。
【００７２】
図５（ａ）に示すように、他方のランプ保持部６２の浮き防止面６２Ｅの構成は、載置面６２Ｂに全面対向するものではなく、一部対向するものであってもかまわない。図５（ａ）に示す他方のランプ保持部６２は、一対の摺接面６２Ｃの一方側（図５（ａ）の紙面奥側の摺接面６２Ｃ）の突出防止面６２Ｄ側において、他方側に突出する浮き防止面６２Ｅが設けられる。また、他方のランプ保持部６２は、一対の摺接面６２Ｃの他方側（図５（ａ）の紙面手前側）の挿込口側において、一方側に突出する浮き防止面６２Ｅが設けられる。
【００７３】
図５（ａ）に示すように、他方の端子２６２に設ける接続部２６２Ｂは、他方の端子２６２の側面２６２Ｅにおける中央の位置であってもかまわない。
また、他方の端子２６２を他方のランプ保持部６２に挿入して構成したとき、他方の端子２６２に設けた接続部２６２Ｂの位置は、他方のランプ保持部６２に設けた突出防止面６２Ｄ側の浮き防止面６２Ｅ（図５（ａ）の紙面の奥側の浮き防止面６２Ｅ）と他方の端子２６２とが対向することを妨げなければ、他方の端子２６２のいずれに設けてもかまわない。
【００７４】
このような第３の実施例に係る加熱装置１は、加熱装置稼動前において、一対の浮き防止面６２Ｅの両方によって、他方の端子２６２における管型白熱ランプ２の軸方向に対して直交方向への移動を防止できる。
さらに、加熱装置稼動時のフレーム６の膨張時においては、他方の端子２６２が他方のランプ保持部６２に対して相対的に移動しても、一対の浮き防止面６２Ｅのうち、一対の摺接面６２Ｃの他方側（図５（ａ）の紙面手前側）の挿込口６２Ｇ側の浮き防止面６２Ｅによって、他方の端子２６２における管型白熱ランプ２の軸方向に対して直交方向への移動を防止できる。
【００７５】
図５（ｂ）は、第４の実施例に係る加熱装置１の説明図であり、図２に示した第１の実施例に係る加熱装置１と異なる部分を示したものである。図５（ｂ）は、第３の実施例に係る加熱装置１の他方の端子２６２側を示した拡大斜視図である。
なお、図５（ｂ）には、図２に示したものと同じものに同一の符号が付されている。
【００７６】
図５（ｂ）の加熱装置１は、他方の端子２６２の接続部２６２Ｂの位置を側面２６２Ｅの中央に設けた点と、他方の端子２６２の端面２６２Ｆに凹部２６２Ｈを設けた点と、他方のランプ保持部６２の突出防止面６２Ｄに摺接面６２Ｃを構成する凸部６２Ｈを設けた点で、図２の加熱装置１と相違する。
図５（ｂ）の加熱装置１の説明として、図１〜３で示した加熱装置１の説明と共通する部分は省略し、図２との相違点について述べる。
【００７７】
板状の他方の端子２６２の端面２６２Ｆには、管型白熱ランプ２の軸方向に向かって切り欠いた凹部２６２Ｈが設けられる。
【００７８】
他方のランプ保持部６２には、載置面６２Ｂを有する板状部材に、その端面に垂直方向に伸びる突出防止面６２Ｄを設けた、Ｌ字形状からなる。
突出防止面６２Ｄからは、封止部２１１に向かって伸びる凸部６２Ｈが設けられる。他方のランプ保持部６２に設けた凸部６２Ｈには、他方の端子２６２に設けた凹部２６２Ｈに摺接される摺接面６２Ｃと、他方の端子２６２における管型白熱ランプ２の軸方向に対して直交方向への移動を防止した浮き防止面６２Ｅとが設けられる。このため、他方のランプ保持部６２の凸部６２Ｈは、一対の摺接面６２Ｃとそれぞれに摺接面６２Ｃから伸びる浮き防止面６２Ｅとを具備したＴ字形状に構成される。
【００７９】
図５（ｂ）に示すように、他方の端子２６２に設ける接続部２６２Ｂは、他方の端子２６２の側面２６２Ｅにおける中央の位置であってもかまわない。
【００８０】
このような第４の実施例に係る加熱装置１は、加熱装置稼動前において、一対の浮き防止面６２Ｅの両方によって、他方の端子２６２における管型白熱ランプ２の軸方向に対して直交方向への移動を防止できる。
さらに、加熱装置稼動時のフレーム６の膨張時においては、他方の端子２６２が他方のランプ保持部６２に対して相対的に移動しても、その最大膨張量を許容するように浮き防止面６２Ｅと他方の端子２６２とが対向するように設けておくことにより、他方の端子２６２における管型白熱ランプ２の軸方向に対して直交方向への移動を防止できる。
【００８１】
このような第４の実施例に係る加熱装置１は、加熱装置稼動前において、他方のランプ保持部６２の凸部６２Ｈに設けた浮き防止面６２Ｅによって、他方の端子２６２における管型白熱ランプ２の軸方向に対して直交方向への移動を防止できる。
さらに、加熱装置稼動時のフレーム６の膨張時においては、他方の端子２６２が他方のランプ保持部６２に対して相対的に移動しても、他方のランプ保持部６２の凸部６２Ｈに設けた摺接面６２Ｃと他方の端子２６２に設けた凹部２６２Ｈとが摺動することで、他方の端子２６２と他方のランプ保持部６２との軸方向の相対的な移動が摺接面６２Ｃに沿って行なわれ、管型白熱ランプ２が例えばローラ３の中心軸のような所望な位置から移動することを防止することができる。
【００８２】
第１〜第４の実施例は、管型白熱ランプ２を単数具備した加熱装置１について説明した。続いて、管型白熱ランプ２を複数具備した加熱装置１について説明した。
本発明に係る加熱装置１においては、複数の管型白熱ランプ２を具備した場合、その長手方向の各一方の端子２６１側又は各他方の端子２６２側のいずれか一体構成とする。まず、他方の端子２６２側を一体構成とした第５の実施例について、図６を用いて説明する。
【００８３】
図６は、第５の実施例に係る加熱装置１の説明図であり、加熱装置１を構成する管型白熱ランプ２とフレーム６の一部を示しこれらを分解した斜視図である。
なお、図６には、図２に示したものと同じものに同一の符号が付されている。
【００８４】
図６の加熱装置１は、管型白熱ランプ２を複数具備した点で、図２の加熱装置１と相違する。
図６の加熱装置１の説明として、図１〜３で示した加熱装置１の説明と共通の部分は省略し、図２との相違点について述べる。
【００８５】
第５の実施例に係る加熱装置１は、図６に示すように、光源として２本の管型白熱ランプ２を並列に配置される。各管型白熱ランプ２の各封止部２１１は、板状に構成され、各管型白熱ランプ２が配置された並列配置方向（換言すると、図６の紙面奥側にある管型白熱ランプ２から紙面手前側にある管型白熱ランプ２に向かう方向）に平行になるように配置される。
【００８６】
各管型白熱ランプ２は、直管状のバルブと、該バルブの中心軸に延在するフィラメントと、該フィラメントに電気的に接続されると共にバルブの外部に設けられた端子とにより構成される。管型白熱ランプ２の単体の詳細な構成については、図３を用いて説明した内容と共通であるので省略する。
【００８７】
各管型白熱ランプ２の一方の端子２６１側には、各ランプ２の封止部２１１から突出する各外部リード２５にそれぞれ別体の一方の端子２６１が設けられる。各一方の端子２６１は、板状の金属部材からなり、例えばスポット溶接のような抵抗溶接で外部リード２５と圧接される。
板状の一方の端子２６１には、棒状の外部リード２５の軸方向に延びる外方の位置に固定体７である例えばネジを挿通する貫通孔２６１Ａが設けられる。また、各板状の一方の端子２６１における側面の封止部２１１側には、板状の一方の端子２６１が構成する平坦面に対して垂直方向に伸びる板状の接続部２６１Ｂが設けられる。すなわち、一対の管型白熱ランプ２の並列配置方向（換言すると、図６の紙面奥側にある管型白熱ランプ２から紙面手前側にある管型白熱ランプ２に向かう方向）に対して垂直方向に配置される。
また、図示しない給電線との接続や取り回しを簡便にするために、各接続部２６１Ｂ，２６２Ｂは、一対の管型白熱ランプ２の並列配置方向（換言すると、図６の紙面奥側にある管型白熱ランプ２から紙面手前側にある管型白熱ランプ２に向かう方向）で離間した側面側（図６の紙面奥側にあるランプ２においては紙面奥側の側面であり、紙面手前側にあるランプ２においては紙面手前側の側面）に設けられる。
【００８８】
各管型白熱ランプ２の他方の端子２６２側には、各ランプ２の封止部２１１から突出する各外部リード２５に１つの他方の端子２６２を共有するように設けられ、例えばスポット溶接のような抵抗溶接で各外部リード２５と圧接される。
他方の端子２６２は、他方のランプ保持部６２の摺接面に摺接する側面２６２Ｅと、他方のランプ保持部６２の突出防止面に対向する端面２６２Ｆを具備し、直方体形状の金属板からなる。この直方体形状の他方の端子２６２は、最長辺が一対の管型白熱ランプ２の並列配置方向に沿って伸びるように構成される。
他方の端子２６２においては、一対の側面２６２Ｅのうち一方の側面２６２Ｅ（図６における紙面奥側の側面２６２Ｅ）であって、該側面２６２Ｅにおける端面２６２Ｆ側に接続部２６２Ｂが設けられる。
接続部２６２Ｂは、板状の端子２６２が構成する平坦面に対して垂直方向に突設され、その形状は封止部２１１の平面方向に平行な板状に設けられる。すなわち、一対の管型白熱ランプ２の並列配置方向（換言すると、図６の紙面奥側にある管型白熱ランプ２から紙面手前側にある管型白熱ランプ２に向かう方向）に対して垂直方向に配置される。
【００８９】
一方の端子２６１及び他方の端子２６２にそれぞれ設けられた接続部２６１Ｂ，２６２Ｂには、その概略中央に保持孔２６１Ｄ，２６２Ｄが設けられ、その端部（図６における紙面上方側の端部）は肉厚が薄くなるように傾斜された傾斜部２６１Ｃ，２６２Ｃが設けられる。この接続部２６１Ｂ，２６２Ｂは、いわゆるファストンタブと呼ばれ、図示しない給電線が接続される。
【００９０】
上述の管型白熱ランプ２の端子２６１，２６２を保持するフレーム６のランプ保持部６１，６２について、以下に述べる。
一対の管型白熱ランプ２の各一方の端子２６１を載置する一方のランプ保持部６１には、一対の管型白熱ランプ２の各一方の端子２６１が載置される面に、各一方の端子２６１の貫通孔２６１Ａに対応した一対の取付孔６１Ａが互いに離間するように設けられる。この取付孔６１Ａには、固定体７であるネジが螺合するように螺旋状に溝を設けたネジ切りが設けられる。
【００９１】
他方のランプ保持部６２の説明については、図２を用いて説明した他方のランプ保持部６２の説明と共通なので省略する。
また、一対の管型白熱ランプ２の端子２６１，２６２をフレーム６のランプ保持部６１，６２に配置する手順については、一方の端子２６１側の固定手段が２つある点以外は共通であるので、その説明を省略する。
【００９２】
第５の実施例に係る加熱装置１は、上記構成を有することにより、一対の管型白熱ランプ２をその両端に設けた端子２６１，２６２を介してフレーム６に保持される。
すなわち、一方の端子２６１側においては、一方のランプ保持部６１と固定体７により挟持されることで、管型白熱ランプ２の軸方向における移動とその軸方向に対して直交方向への移動を規制している。また、他方の端子２６２側においては、他方の端子２６２の側面２６２Ｅに対向する摺接面が設けられると共に他方の端子２６２の平坦面に対向する載置面と浮き防止面とが設けられることで、管型白熱ランプ２の軸方向に対して直交方向への移動を規制している。これらによって、管型白熱ランプ２全体は、その軸方向への移動を一方の端子２６１側に設けた固定手段により規制され、その軸方向に対して直交方向での移動を一方の端子２６１及び他方の端子２６２に設けたランプ保持部６１，６２との構成によって規制される。
さらに、一方のランプ保持部６１には一対の取付孔６１Ａが離間して設けられると共に他方の端子２６２を共通にすることにより、一対の管型白熱ランプ２間の距離は、その長手方向に亘って所望の距離を離間させた並列配列にすることができ、一対の管型白熱ランプ２間の位置決めができる。
【００９３】
第５の実施例に係る加熱装置１は、加熱装置稼動時における駆動体４の振動を受ける場合においても、一方の端子２６１及び他方の端子が２６２一対の管型白熱ランプ２の軸方向に対して直交方向への移動を規制するようにランプ保持部６１，６２に設けられると共に、一方の端子２６１が一対の管型白熱ランプ２の軸方向への移動を規制することにより、例えば不図示のローラの中心軸のような所望の位置から移動することを防止することができる。
【００９４】
また、フレーム６が膨張したとき、一対の管型白熱ランプ２の各一方の端子２６１は、フレーム６の一方のランプ保持部６１に例えばネジ止めのような固定手段により軸方向の移動を規制されていることから、フレーム６の膨張と共に移動する。これに対して、一対の管型白熱ランプ２の他方の端子２６２は、フレーム６の他方のランプ保持部６２に固定されていないので軸方向への移動を規制されていないことから、フレーム６の膨張と共に移動する一方の端子２６１と共に移動する。例えば図１を用いて説明すると、フレーム６が紙面左右方向に膨張したとき、各一方の端子２６１はフレーム６の紙面右側の膨張と共に紙面右側に移動する。これに対してフレーム６の他方のランプ保持部６２が紙面左側へ膨張しても、他方の端子２６２は、管型白熱ランプ２の一方の端子２６１が紙面右側へ移動しているので、同じく紙面右側に移動する。これにより、他方の端子２６２と他方のランプ保持部６２とが相対的に移動することになる。
すなわち、第５の実施例に係る加熱装置１は、フレーム６の膨張時において、他方の端子２６２と他方のランプ保持部６２とが軸方向が相対的に移動するように、他方の端子２６２を他方のランプ保持部６２に設けたことにより、フレーム６の膨張を許容することができる。
このとき、他方の端子２６２に設けた接続部２６２Ｂを他方のランプ保持部６２に対して相対的に移動されるが、他方のランプ保持部６２に設けた接続部挿通孔６２Ｆを一対の管型白熱ランプ２の軸方向に沿って伸びるように設けたことにより、接続部２６２Ｂは接続部挿通孔６２Ｆに沿って移動され、フレーム６の膨張の膨張を許容することができる。
【００９５】
さらに、第５の実施例に係る加熱装置１は、フレーム６の膨張時において、他方の端子２６２の側面と摺動する摺接面６２Ｃを他方のランプ保持部６２に設けたことにより、他方の端子２６２と他方のランプ保持部６２との軸方向の相対的な移動が摺接面６２Ｃに沿って行なわれ、一対の管型白熱ランプ２が例えば不図示のローラの中心軸のような所望な位置から移動することを防止することができる。例えば図１を用いて説明すると、フレーム６が紙面左右方向に膨張するとき、他方の端子２６２の側面と他方のランプ保持部６２の摺接面６２Ｃとが摺動することで、管型白熱ランプ２がその軸方向に対して直交方向（紙面奥手前方向）へ移動することを防止することができる。すなわち、管型白熱ランプ２は、加熱装置稼動前に位置したその管軸と同軸上の位置に、加熱装置稼動後においても位置することができる。
また、他方の端子２６２の一対の平坦面（例えば図３（ａ）において、紙面手前側に見えている平坦面と、紙面奥側にある不図示の平坦面）を、載置面に載置させると共に浮き防止面に当接させるように構成することで、加熱装置稼動後における管型白熱ランプ２の軸方向に対して直交方向への移動を好適に防止することができる。
【００９６】
このように、第５の実施例に係る加熱装置１は、他方の端子２６２と他方のランプ保持部６２との構成を上述のようにすることにより、管型白熱ランプ２を例えばローラ３の中心軸のような所望に位置に保持することができ、他方の端子２６２側にネジ止めのような固定手段を設ける手間がないので簡便な構造とすることができる。
【００９７】
また、第５の実施例に係る加熱装置１のように、具備する光源を複数の管型白熱ランプ２で構成すると、単数の管型白熱ランプ２で構成した場合に比して、ランプ２の並列配置方向に大型となる。
第５の実施例に係る加熱装置１は、接続部２６１Ｂ，２６２Ｂ、複数の管型白熱ランプ２の並列配置方向と異なる方向である、例えば並列配置方向に対して垂直方向のように設けることにより、並列配置方向へのさらなる大型化が防止され、複数の管型白熱ランプ２から接続部２６１，２６２Ｂを不所望に突出することを防止できる。
【００９８】
第５の実施例に続いて、複数の管型白熱ランプ２を具備し、他方の端子２６２側を別体とし、一方の端子２６１側を一体構成した第６の実施例について、図７を用いて説明する。
【００９９】
図７は、第６の実施例に係る加熱装置１の説明図である。図７（ａ）は、加熱装置１を構成する管型白熱ランプ２とフレーム６の一部を示し、これらを分解した斜視図である。また、図７（ｂ）及び（ｃ）は、図７（ａ）の他方のランプ保持部６２の構造の説明図であり、図７（ｂ）が図７（ａ）の他方のランプ保持部６２のＥ−Ｅ断面図（管型白熱ランプ２の軸方向に対して直交する断面図）であり、図７（ｃ）が図７（ａ）の他方のランプ保持部６２のＦ−Ｆ断面図（管型白熱ランプ２の軸方向に沿った断面図）である。
なお、図７には、図６に示したものと同じものに同一の符号が付されている。
【０１００】
図７の加熱装置１は、一方の端子２６１側を一体構成にした点、他方の端子２６２側を別体構成にした点、他方のランプ保持部６２に隔壁６２Ｉを設けた点で、図６の加熱装置１と相違する。
図７の加熱装置１の説明として、図６で示した加熱装置１の説明と共通の部分は省略し、図６との相違点について述べる。
【０１０１】
各管型白熱ランプ２の一方の端子側２６１には、各ランプ２の封止部２１１から突出する各外部リード２５に１つの一方の端子２６１を共有するように設けられる。一方の端子２６１は、直方体形状の金属板からなり、例えばスポット溶接のような抵抗溶接で各外部リード２５と圧接される。この直方体形状の他方の端子２６２は、最長辺が一対の管型白熱ランプ２の並列配置方向に沿って伸びるように構成される。
【０１０２】
板状の一方の端子２６１には、その中央の位置に固定体７である例えばネジを挿通する貫通孔２６１Ａが設けられる。また、一方の端子２６１における板状を構成する一対の側面のうち、一方の側面（図７（ａ）における紙面奥側の側面）の封止部２１１側には、板状の一方の端子２６１が構成する平坦面に対して垂直方向に伸びる板状の接続部２６１Ｂが設けられる。すなわち、一対の管型白熱ランプ２の並列配置方向（換言すると、図７（ａ）の紙面奥側にある管型白熱ランプ２から紙面手前側にある管型白熱ランプ２に向かう方向）に対して垂直方向に配置される。
【０１０３】
各管型白熱ランプ２の他方の端子２６２Ｂ側には、各ランプ２の封止部２１１から突出する各外部リード２５にそれぞれ別体の他方の端子２６２が設けられる。各他方の端子２６２は、板状の金属部材からなり、例えばスポット溶接のような抵抗溶接で外部リード２５と圧接される。
また、板状の他方の端子２６２における側面の端面側には、板状の他方の端子２６２が構成する平坦面に対して垂直方向に伸びる板状の接続部２６２Ｂが設けられる。すなわち、一対の管型白熱ランプ２の並列配置方向（換言すると、図７（ａ）の紙面奥側にある管型白熱ランプ２から紙面手前側にある管型白熱ランプ２に向かう方向）に対して垂直方向に配置される。
【０１０４】
各他方の端子２６２を個別に見ると、他方の端子２６２は、後述する他方のランプ保持部６２の摺接面（図７（ｂ）における符号６２Ｃ）に摺接する側面と、後述する他方のランプ保持部６２の隔壁（図７（ｂ）における符号６２Ｉ）が構成する摺接面（図７（ｂ）における符号６２Ｃ）に摺接する側面と、後述する他方のランプ保持部６２の突出防止面（図７（ｃ）における符号６２Ｄ）に対向する端面を具備し、直方体形状の金属板からなる。この直方体形状の他方の端子２６２は、最長辺が一対の管型白熱ランプ２の長手方向に沿って伸びるように構成される。
【０１０５】
また、図示しない給電線との接続や取り回しを簡便にするために、各他方の端子２６２における各接続部２６２Ｂは、一対の管型白熱ランプ２の並列配置方向（換言すると、図７の紙面奥側にある管型白熱ランプ２から紙面手前側にある管型白熱ランプ２に向かう方向）で離間した側面側（図７の紙面奥側にあるランプ２においては紙面奥側の側面と、紙面手前側にあるランプにおいては紙面手前側の側面）に設けられる。
【０１０６】
一方の端子２６１及び他方の端子２６２にそれぞれ設けられた接続部２６１Ｂ，２６２Ｂには、その概略中央に保持孔が設けられ、その端部（図７（ａ）における紙面上方側の端部）は肉厚が薄くなるように傾斜された傾斜部が設けられる。この接続部２６１Ｂ，２６２Ｂは、いわゆるファストンタブと呼ばれ、図示しない給電線が接続される。
【０１０７】
上述の管型白熱ランプ２の端子２６１，２６２を保持するフレーム６のランプ保持部６１，６２について、以下に述べる。
一対の管型白熱ランプ２の一体構成された一方の端子２６１を載置する一方のランプ保持部６１には、一対の管型白熱ランプ２の一方の端子２６１が載置される面に、一方の端子２６１の貫通孔２６１Ａに対応した取付孔６１Ａが設けられる。この取付孔６１Ａには、固定体７であるネジが螺合するように螺旋状に溝を設けたネジ切りが設けられる。
【０１０８】
別体に設けた他方の端子２６２を保持する他方のランプ保持部６２には、図７（ａ）に示すように、各板状の他方の端子２６２がそれぞれ挿入される一対の挿込口６２Ｇが設けられ、この一対の挿込口６２Ｇの間には隔壁６２Ｉが設けられる。この隔壁６２Ｉには、挿込口６２Ｇから連続すると共に板状の他方の端子２６２の側面２６２Ｅが摺接される摺接面（図７（ｂ）における符号６２Ｃ）が設けられる。また、隔壁６２Ｉの摺接面６２Ｃに対向する面にも摺接面６２Ｃ（図７（ｂ）の隔壁６２Ｉの摺接面６２Ｃに対して紙面左右方向にある摺接面６２Ｃ）が設けられる。
さらに、他方のランプ保持部６２には、各板状の他方の端子２６２をそれぞれ載置する一対の載置面６２Ｂと、各管型白熱ランプ２の軸方向に対して直交方向への移動を規制した一対の浮き防止面６２Ｅが設けられる。
このように他方のランプ保持部６２には、隔壁６２Ｉによって隔てられたその一対の挿込口６２Ｇのそれぞれに、図７（ｂ）に示す載置面６２Ｂと、載置面６２Ｂの平坦面の側縁から垂直方向に伸びる一対の摺接面６２Ｃと、この一対の摺接面６２Ｃのうちで隔壁６２Ｉに設けた摺接面６２Ｃに連続すると共に載置面６２Ｂに対向する浮き防止面６２Ｅとが設けられ、これら４面により構成された空間に他方の端子２６２が配置される。すなわち、他方のランプ保持部６２には、一対の管型白熱ランプ２の各他方の端子２６２を配置する一対の空間が設けられる。
また、他方のランプ保持部６２には、他方の端子２６２に設けた接続部２６２Ｂを挿通する接続部挿通孔６２Ｆが浮き防止面６２Ｅ側に設けられる。接続部挿通孔６２Ｆは、管型白熱ランプ２の長手方向に沿って伸びるように形成され挿込口６２Ｇに連通される。
他方のランプ保持部６２の挿込口６２Ｇに対向する面には、他方の端子６２が配置される空間を介して他方の端子２６２を突出することを防止した突出防止面６２Ｄが設けられる。
【０１０９】
図７に示す第６の実施例に係る加熱装置１は、他方の端子２６２を個別に設け、各他方の端子２６２の間を離隔する隔壁６２Ｉを設け、該隔壁６２Ｉに摺接面６２Ｃを設けた点で、第５の実施例と相違するが、それ以外の内容については第５の実施例と共通であるので、一対の管型白熱ランプ２の端子２６１，２６２をフレーム６のランプ保持部６２，６２に配置する手順についての説明を省略する。
【０１１０】
第６の実施例に係る加熱装置１は、上記構成を有することにより、一対の管型白熱ランプ２をその両端に設けた端子を介してフレーム６に保持される。
すなわち、一方の端子２６１側においては、一方のランプ保持部６１と固定体７により挟持されることで、管型白熱ランプ２の軸方向における移動とその軸方向に対して直交方向への移動を規制している。また、他方の端子２６２側においては、他方の端子２６２の側面に対向する摺接面６２Ｃが設けられると共に他方の端子２６２の平坦面に対向する載置面６２Ｂと浮き防止面６２Ｅとが設けられることで、管型白熱ランプ２の軸方向に対して直交方向への移動を規制している。これらによって、管型白熱ランプ２全体は、その軸方向への移動を一方の端子２６１側に設けた固定手段により規制され、その軸方向に対して直交方向での移動を一方の端子２６１及び他方の端子２６２に設けたランプ保持部６１，６２との構成によって規制される。
さらに、他方のランプ保持部６２には隔壁６２Ｉが設けられると共に一方の端子２６１を一体構成にすることにより、一対の管型白熱ランプ２間の距離は、その長手方向に亘って所望の距離を離間させた並列配列にすることができ、一対の管型白熱ランプ２間の位置決めができる。
【０１１１】
また、第６の実施例に係る加熱装置１は、一対の管型白熱ランプ２の端子２６１，２６２の構成と、フレーム６のランプ保持部６１，６２の構成とが第５の実施例に対して上述のように異なり、作用・効果の点では第５の実施例と共通であるのでその説明を省略する。
【０１１２】
上述の第１〜第６の実施例に係る加熱装置１においては、一方の端子２６１と一方のランプ保持部６１とを例えばネジ止めのように直接固定することで、フレーム６の膨張量の許容を他方の端子２６２と他方のランプ保持部６２との相対的移動によって実現していた。このため、第１〜第６の実施例に係る加熱装置１における一方の端子２６１には、例えばネジ止めのように直接固定手段が施されることによってトルクが負荷されることで、管型白熱ランプ２が破損することがあった。そこで、一方の端子２６１側の直接固定手段を施さない第７の実施例について、図８を用いて説明する。
【０１１３】
図８は、第７の実施例に係る加熱装置１の説明図であり、加熱装置１を構成する管型白熱ランプ２とフレーム６の一部を示しこれらを分解した斜視図である。
なお、図８は、図２に示したものと同じものに同一の符号が付されている。
【０１１４】
図８の加熱装置１は、一方の端子２６１と一方のランプ保持部６１とを相対的に移動する構成にした点と、一方のランプ保持部６１とフレーム６とを別体とした点で、図２の加熱装置１と相違する。
図８の加熱装置１の説明として、図１〜３で示した加熱装置１の説明と共通の部分は省略し、図２との相違点について述べる。
【０１１５】
フレーム６の一方のランプ保持部６１は、板状の一方の端子２６１が挿入される挿入口（図８では、一方のランプ保持部６１の紙面奥側にある図示しない挿入口）が設けられており、この挿入口から連続する一方の端子２６１が配置される空間を有する。第７の実施例において、一方のランプ保持部２６１における一方の端子が配置される空間の構成は、第１の実施例で説明した他方のランプ保持部６２における他方の端子２６２が配置される空間の構成と同一であることから、その説明を省略する。
一方のランプ保持部６１の外観形状は、Ｌ字形状を有し、直方体状に伸びるフレーム６の端部（図８の紙面上方側の端部）に嵌合される。フレーム６と別体に設けられた一方の端子２６１は、固定手段である例えばネジによりフレーム６と一体になるように固定される。
【０１１６】
第７の実施例におけるフレーム６の他方のランプ保持部６２の構成は、第１の実施例で説明した内容と共通なのでその説明を省略する。
【０１１７】
第７の実施例における管型白熱ランプ２の一方の端子２６１は、第１の実施例で説明した他方の端子２６２の構成と同一であることから、その説明を省略する。
【０１１８】
第７の実施例に係る加熱装置１において、管型白熱ランプ２の端子２６１，２６２とフレーム６のランプ保持部６１，６２との詳細な構成について、管型白熱ランプ２の端子２６１，２６２をフレーム６のランプ保持部６１，６２に配置する手順を通じて説明する。
【０１１９】
まず、管型白熱ランプ２の他方の端子２６２は、図８に示す他方のランプ保持部６２の挿込口６２Ｇから挿入される。このとき、他方の端子２６２の接続部２６２Ｂは挿込口６２Ｇに連通した接続部挿通孔６２Ｆから挿入される。挿込口６２Ｇから挿入された他方の端子２６２は、その側面を他方のランプ保持部６２の摺接面に摺動させつつ、他方のランプ保持部６２の突出防止面に当接する又はその手前に位置するまで挿入され、他方のランプ保持部６２の載置面に載置される。
【０１２０】
続いて、管型白熱ランプ２の一方の端子２６１は、一方のランプ保持部６１の図示しない挿入口（図８において不図示）から挿入される。このとき、一方の端子２６１の接続部２６１Ｂは一方のランプ保持部６１の挿入口（図８において不図示）に連通した接続部挿通孔６１Ｆから挿入される。一方のランプ保持部６１の摺接面（図８において不図示）に摺動させつつ、一方のランプ保持部６１の突出防止面（図８において不図示）に当接する又はその手前に位置するまで挿入され、一方のランプ保持部６１の載置面（図８において不図示）に載置される。
【０１２１】
一方の端子２６１を載置したＬ字状の一方のランプ保持部６１は、直方体状のフレーム６に嵌合されて例えばネジ止めのような固定手段によって固定されるので、一方の端子２６１へは、フレーム６と一方のランプ保持部６１とのネジ止めによるトルクは負荷されない。
このとき、他方の端子２６２と一方の端子２６１には、それぞれのランプ保持部６１，６２の突出防止面から反発する力が発生しないような状態で各ランプ保持部６１，６２に保持される。
【０１２２】
このように、管型白熱ランプ２は、その両端に設けた端子２６１，２６２を介してフレーム６に保持される。
すなわち、一方の端子２６１側及び他方の端子２６２は、各端子２６１，２６２の側面に対向する摺接面（図８において不図示）が設けられると共に各端子２６１，２６２の平坦面に対向する載置面（図８において不図示）と浮き防止面（図８において不図示）とが設けられることで、管型白熱ランプ２の軸方向に対して直交方向への移動を規制している。さらに、各端子２６１，２６２に対向する突出防止面（図８において不図示）を設けることで、管型白熱ランプ２の軸方向における各端子側の外方への移動を規制している。これらによって、管型白熱ランプ２全体は、その軸方向への移動と該軸方向に対して直交方向への移動を各端子２６１，２６２と各ランプ保持部６１，６２との構成によって規制される。
【０１２３】
第７の実施例に係る加熱装置１は、加熱装置稼動時における駆動体４の振動を受ける場合においても、一方の端子２６１及び他方の端子２６２が管型白熱ランプ２の軸方向への移動及び軸方向に対して直交方向への移動を規制するランプ保持部６１，６２を設けたことにより、例えば不図示のローラの中心軸のような所望な位置から移動することを防止することができる。
【０１２４】
フレーム６が膨張したとき、管型白熱ランプ２の一方の端子２６１及び他方の端子２６２は、フレーム６の一方のランプ保持部６１及び他方のランプ保持部６２に対して相対的に移動される。
すなわち、第７の実施例に係る加熱装置１は、フレーム６の膨張時において、各端子２６１，２６２と各ランプ保持部６１，６２とが軸方向が相対的に移動するように設けたことにより、フレーム６の膨張を許容することができる。
このとき、一方の端子２６１及び他方の端子２６２に設けた各接続部２６１Ｂ，２６２Ｂも一方のランプ保持部６１及び他方のランプ保持部６２に対して相対的に移動されるが、一方のランプ保持部６１及び他方のランプ保持部６２に設けた接続部挿通孔６１Ｆ，６２Ｆを管型白熱ランプ２の軸方向に沿って伸びるように設けたことにより、接続部２６１Ｂ，２６２Ｂは接続部挿通孔６１Ｆ，６２Ｆに沿って移動され、フレーム６の膨張の膨張を許容することができる。
【０１２５】
さらに、第７の実施例に係る加熱装置１は、フレーム６の膨張時において、各端子２６１，２６２の側面と摺動する摺接面（図８において不図示）を各ランプ保持部６１，６２に設けたことにより、各端子２６１，２６２と各ランプ保持部６１，６２との軸方向の相対的な移動が摺接面（図８において不図示）に沿って行なわれ、管型白熱ランプ２が例えばローラ（図８において不図示）の中心軸のような所望な位置から移動することを防止することができる。例えば図１を用いて説明すると、フレーム６が紙面左右方向に膨張するとき、他方の端子２６２の側面２６２Ｅと他方のランプ保持部６２の摺接面（図８において不図示）とが摺動することで、管型白熱ランプ２がその軸方向に対して直交方向（紙面奥手前方向）へ移動することを防止することができる。すなわち、管型白熱ランプ２は、加熱装置稼動前に位置したその管軸と同軸上の位置に、加熱装置稼動後においても位置することができる。
また、一方の端子２６１における一対の平坦面（例えば図３（ａ）において、紙面手前側に見えている平坦面と、紙面奥側にある不図示の平坦面）及び他方の端子２６２における一対の平坦面（例えば図３（ａ）において、紙面手前側に見えている平坦面と、紙面奥側にある不図示の平坦面）を、各ランプ保持部６１，６２における載置面に載置させると共に浮き防止面に当接させるように構成することで、加熱装置稼動後における管型白熱ランプ２の軸方向に対して直交方向への移動を好適に防止することができる。
【０１２６】
このように、第７の実施例に係る加熱装置１は、各端子２６１，２６２と各ランプ保持部６１，６２との構成を上述のようにすることにより、管型白熱ランプ２を例えば不図示のローラの中心軸のような所望に位置に保持することができ、他方の端子２６２側にネジ止めのような固定手段を設ける手間がないので簡便な構造とすることができる。
その上、第７の実施例に係る加熱装置１は、一方の端子２６１と一方のランプ保持部６１とを例えばネジ止めのような固定手段を直接設けないことにより、一方の端子２６１にトルクが負荷されることを防止できる。
【０１２７】
上述の第７の実施例に係る加熱装置１においては、一方の端子２６１側に直接固定手段を施さないことで、管型白熱ランプ２の一方側（一方の端子２６１側）にネジ止めのようなトルクが負荷されない構成について説明した。続いて、第７の実施例で示した一方の端子２６１を設けないで、管型白熱ランプ２の一方側にネジ止めのようなトルクが負荷されない構成を、第８の実施例として説明する。
【０１２８】
図９は、第８の実施例に係る加熱装置１の説明図であり、ローラ３の管軸方向に沿った断面図である。図１０は、図１に記載した加熱装置１を構成する管型白熱ランプ２のベース２８とフレーム６が具備する一方のランプ保持部６１の一部を示し、管型白熱ランプ２に設けたベース２８と一方のランプ保持部６１とを分解した拡大斜視図である。
なお、図９及び図１０には、図１及び図２に示したものと同じものに同一の符号が付されている。
【０１２９】
図９及び図１０の加熱装置１は、一方の端子（図９及び図１０における符号２６１）を設けない点と、一方の外部リード２５の外方にベース２８を設けた点と、該ベース２８を保持する一方のランプ保持部６１を設けた点で、図１及び図２の加熱装置１と相違する。
図９及び図１０の加熱装置１の説明として、図１〜３で示した加熱装置１の説明と共通の部分は省略し、図２との相違点について述べる。
【０１３０】
図９に示すように、フレーム６の一方側（図９における紙面右側）には、板状の一方のランプ保持部６１が例えばネジ止めのような固定手段によって固定される。
板状の一方のランプ保持部６１を構成する部材としては、例えばメッキを施した鉄が挙げられ、耐熱性を有する金属部材が用いられる。
板状の一方の端子は、図１０に示すように平板状であり、その平坦面を貫通する嵌合孔６１Ｈが設けられる。この嵌合孔６１Ｈは、後述するベース２８に設けた突出部２８２の外周形状に嵌合するように設けられる。
【０１３１】
管型白熱ランプ２は、直管状のバルブと、該バルブの中心軸に延在するフィラメントと、該フィラメントに電気的に接続されると共にバルブの外部に突出する外部リード２５とにより構成される。管型白熱ランプ２の単体の詳細な構成については、図３を用いて説明した内容と概略共通するので、それ以外の相違する部分について説明する。
図９に示す一方の外部リード２５（図９における紙面右側の外部リード２５）には、給電線２７が例えばかしめられる等して電気的に接続される。
一方の外部リード２５を突出させる封止部２１１の外方には、図１０に示すように、ベース２８が設けられる。
【０１３２】
ベース２８を構成する部材としては、例えばステアタイト（ＭｇＯＳｉＯ２）のような電気絶縁性を有するセラミックが挙げられる。
ベース２８は、図１０に示すように、封止部２１１の外周を被覆する円筒状の被覆部２８１と、円筒状の該被覆部２８１における端面２８３（管型白熱ランプの軸方向において、被覆部２８１の外方側の端面２８３）に、該被覆部２８１と同心軸上に位置するように円筒状の突出部２８２が設けられる。ベース２８を構成する円筒状の被覆部２８１と円筒状の突出部２８２とは、管型白熱ランプ２の管軸に沿った同心軸上に位置するように設けられる。
突出部２８２の内部には、図９に示すように、一方の外部リード２５と該一方の外部リード２５に接続された給電線２７とを挿通する貫通孔が設けられる。また、突出部２８２における端面（管型白熱ランプ２の軸方向において、突出部２８２の外方側の端部）には、内部の貫通孔に連通した給電線取出口（図２における符号２８４）が設けられる。
【０１３３】
ベース２８は、被覆部２８１と封止部２１１との間に図示しない例えば無機接着剤を充填することによって、管型白熱ランプ２に設けられる。
【０１３４】
フレーム６の他方のランプ保持部６２の構成と、管型白熱ランプ２の他方の端子２６２の構成とは、第１の実施例で説明した内容と共通なので、その説明を省略する。
【０１３５】
第８の実施例に係る加熱装置１において、管型白熱ランプ２のベース２８とフレーム６の一方のランプ保持部６１との詳細な構成について、管型白熱ランプ２をフレーム６のランプ保持部６１，６２に配置する手順を通じて説明する。
まず、管型白熱ランプ２の他方の端子２６２を、フレーム６の他方のランプ保持部６２に設ける説明は上述の第１の実施例と共通なのでその説明を省略し、ベース２８をフレーム６の一方のランプ保持部６１に設ける手順について説明する。
【０１３６】
ベース２８の給電線取出口２８４から導出した給電線２７は、板状の一方のランプ保持部６１に設けた嵌合孔６１Ｈに挿通される。続いて一方のランプ保持部６１の嵌合孔６１Ｈには、ベース２８の突出部２８２が挿通され、突出部２８２の外周面が嵌合される。
このとき、一方のランプ保持部６１の突出防止面６１Ｇ（図１０において、他方の端子２６２における紙面奥側の平坦面）は、ベース２８の被覆部２８１の端面（図１０に示すように、管型白熱ランプ２の軸方向において、ベース２８の被覆部２８１の外方にある端面）に当接又はその手前に位置するまで挿通され、互いに対向するように嵌合保持される。
【０１３７】
一方のランプ保持部６１は、ベース２８の突出部２８２を嵌合させた状態で、図９に示すＬ字状のフレーム６に例えばネジ止めのような固定手段によって固定される。
このとき、他方の端子２６２とベース２８には、それぞれランプ保持部６１，６２の突出防止面６１Ｇから反発する力が発生しないような状態で各ランプ保持部６１，６２に保持される。
【０１３８】
このように、管型白熱ランプ２は、その両端に設けたベース２８と他方の端子２６２とを介してフレーム６に保持される。
すなわち、ベース２８においては、一方のランプ保持部６１に嵌合されることで、管型白熱ランプ２の軸方向に対して直交する方向への移動が規制される。さらに、各ランプ保持部６１，６２には、ベース２８及び他方の端子２６２に対向する突出防止面６１Ｇが設けられることで、管型白熱ランプ２の軸方向におけるベース側の外方及び他方の端子側への外方への移動を規制している。これらによって、管型白熱ランプ２全体は、その軸方向への移動と軸方向に対して直交する方向への移動を、ベース２８と一方のランプ保持部６１の構成、並びに、他方の端子２６２と他方のランプ保持部６２の構成によって規制される。
【０１３９】
第８の実施例に係る加熱装置１は、加熱装置稼動時における駆動体４の振動を受ける場合においても、ベース２８及び他方の端子２６２が管型白熱ランプ２の軸方向への移動及び軸方向に対して直交方向への移動を規制するランプ保持部６１，６２を設けたことにより、例えばローラ３の中心軸のような所望な位置から移動することを防止することができる。
【０１４０】
フレーム６が膨張したとき、管型白熱ランプ２のベース２８及び他方の端子２６２は、フレーム６の一方のランプ保持部６１及び他方のランプ保持部６２に対して相対的に移動される。
すなわち、第８の実施例に係る加熱装置１は、フレーム６の膨張時において、ベース２８及び他方の端子２６２に対して各ランプ保持部６１，６２が軸方向へ相対的に移動するように設けたことにより、フレーム６の膨張を許容することができる。
このとき、ベース２８の突出部２８２と一方のランプ保持部６１とが相対的に移動されるが、ベース２８の突出部２８２をフレーム６の膨張量を許容するような長尺に設けることで、フレーム６の膨張時においても、ベース２８を一方のランプ保持部６１に保持することができる。
【０１４１】
さらに、第８の実施例に係る加熱装置１は、ベース２８の円筒状の突出部２８２の中心軸が管型白熱ランプ２の管軸に沿った同心軸上に位置し、ベース２８の円筒状の突出部２８２の外周面に嵌合するように一方のランプ保持部６１の嵌合孔６１Ｈが設けられていることから、フレーム６の膨張時において、ベース２８と一方のランプ保持部６１との相対的な移動が、ベース２８の外周面に沿って行なわれ、管型白熱ランプ２が例えばローラの中心軸のような所望な位置から移動することを防止することができる。例えば図９を用いて説明すると、フレーム６が紙面左右方向に膨張するとき、ベース２８の突出部２８２の外周面とランプ保持部６１の嵌合孔６１Ｈに沿って摺動することで、管型白熱ランプ２がその軸方向に対して直交方向（図９における紙面奥手前方向や紙面上下方向）へ移動することを防止することができる。すなわち、管型白熱ランプ２は、加熱装置稼動前に位置したその管軸と同軸上の位置に、加熱装置稼動後においても位置することができる。
また、他方の端子２６２の一対の平坦面（例えば図３（ａ）において、紙面手前側に見えている平坦面と、紙面奥側にある不図示の平坦面）を、他方のランプ保持部６２における載置面に載置させると共に浮き防止面に当接させるように構成し、且つ、ベース２８の突出部２８２を一方のランプ保持部６１の嵌合孔６１Ｈに嵌合されることで、加熱装置稼動後における管型白熱ランプ２の軸方向に対して直交方向への移動を好適に防止することができる。
【０１４２】
このように、第８の実施例に係る加熱装置１は、ベース２８と一方のランプ保持部６１との構成，並びに，他方の端子２６２と他方のランプ保持部６２との構成を上述のようにすることにより、管型白熱ランプ２を例えばローラ３の中心軸のような所望な位置に保持することができ、他方の端子２６２のような固定手段を設ける手間がないので簡便な構造とすることができる。
その上、第８の実施例に係る加熱装置１は、ベース２８と一方のランプ保持部６１とを例えばネジ止めのような固定手段を直接設けないことにより、ベース２８にトルクが直接負荷されることを防止できる。
【０１４３】
上述のような第７及び第８の実施例に係る加熱装置１の場合、フレーム６に対して管型白熱ランプ２が固定されていないことから、フレーム６膨張時におけるその膨張量が、一方の端子２６１側で許容されることもあれば、他方の端子２６２側で許容されることもあり、さらには両方の端子２６１，２６２側で許容されることもある。このため、例えば不図示のローラの中心軸に管型白熱ランプ２が位置するような構成の場合、フレーム６の膨張時において、管型白熱ランプ２のローラ３の中心軸方向で移動されてしまう。フレーム６の膨張時においてもローラ３の外周面を流れる媒体を均一に加熱するためには、管型白熱ランプ２のフィラメント２２を長尺にしなければならず、管型白熱ランプ２が長尺化してしまうことがあった。
このため、一方の端子２６１側のトルクの負荷を防止しつつ、管型白熱ランプ２の長尺化を防止した加熱装置１を第９の実施例として説明する。
【０１４４】
図１１は、第９の実施例に係る加熱装置１の説明図であり、図２に示した第１の実施例に係る加熱装置１と異なる部分を示したものである。図１１（ａ）は、第９の実施例に係る加熱装置１の一方の端子側を示した拡大斜視図である。図１１（ｂ）は、図１１（ａ）の一方の端子２６１の凹部２６１Ｉを一方のランプ保持部６１の凸状の位置決め部６１Ｃに嵌合させたときの上面図（図１１（ａ）の紙面上方から紙面下方に向かって見たときの図）である。図１１（ｃ）は、図１１（ａ）の一方の端子２６１の凹部２６１Ｉを一方のランプ保持部６１の凸状の位置決め部６１Ｃに嵌合させ、一方のランプ保持部６１の鍔部６１Ｄに浮き防止体６１１を嵌合させた状態の断面図（一方の端子２６１において管型白熱ランプ２の軸方向に対して直交する断面図）である。
なお、図１１は、図２に示したものと同じものに同一の符号が付されている。
【０１４５】
図１１の加熱装置１は、一方の端子２６１と一方のランプ保持部６１との構成をネジ止めによらない固定手段を設けた点で、図２の加熱装置１と相違する。
図１１の加熱装置１の説明として、図１〜３で示した加熱装置１の説明と共通する部分を省略し、図２との相違点について述べる。
【０１４６】
管型白熱ランプ２の一方の端子２６１の側面２６１Ｅにおいて、接続部２６１Ｂが設けられていない側の側面２６１Ｅ（図１１における紙面手前側の側面２６１Ｅ）には切り欠いた凹部２６１Ｉが設けられる。
【０１４７】
フレームには、直方体状の端部において、一方の端子２６１を載置する載置面６１Ｂには、図１１（ｃ）に示すように、鍔部６１Ｄを有するＬ字状の一対の突出部６１Ｅが設けられる。このＬ字状の突出部６１Ｅの一方（図１１（ａ）における紙面手前側の突出部６１Ｅ）には、鍔部６１Ｄが突出する側に対して反対側に突出する位置決め部６１Ｃが設けられる。
【０１４８】
浮き防止体６１１は、図１１（ｃ）に示すように、概略コ字状構造からなり、載置面６１Ｂとで挟持する浮き防止面６１１Ｂがその中央から突出するように設けられる。また、浮き防止体６１１には、Ｌ字状の突出部６１Ｅに設けた鍔部６１Ｄと嵌合する嵌合部６１１Ａが設けられる。
一方の端子２６１には、接続部２６１Ｂが設けられていることから、浮き防止体６１１には、図１１（ａ）に示すように、接続部挿通孔６１１Ｃが設けられる。
【０１４９】
第９の実施例に係る加熱装置１において、管型白熱ランプ２の一方の端子２６１とフレームの一方のランプ保持部６１との詳細な構成について、管型白熱ランプ２の一方の端子２６１をフレームの一方のランプ保持部６１に配置する手順を通じて説明する。
【０１５０】
まず、管型白熱ランプ２の一方の端子２６１は、具備する凹部２６１Ｉが一方のランプ保持部６１の位置決め部６１Ｃに嵌合され、一方のランプ保持部６１の載置面６１Ｂに載置される。
【０１５１】
続いて、浮き防止体６１１は、一方の端子２６１の端面２６１Ｆ側から一方のランプ保持部６１の鍔部６１Ｄに嵌合させつつ、管型白熱ランプ２に向かって移動される。このとき、浮き防止体６１１の浮き防止面６１１Ｂは一方の端子２６１に当接されつつ移動される。このように、一方の端子２６１は、一方のランプ保持部６１の位置決め部６１Ｃに嵌合しつつ、一方のランプ保持部６１の浮き防止面６１１Ｂと載置面６１Ｂに挟持されることで、一方のランプ保持部６１に保持される。
【０１５２】
このように、管型白熱ランプ２は、その両端に設けた端子２６１を介してフレーム６に保持される
すなわち、一方の端子２６１側において、一方のランプ保持部６１と嵌合されることで、管型白熱ランプ２の軸方向への移動を規制している。さらに、一方の端子２６１側において、一方のランプ保持部６１の載置面６１Ｂと浮き防止面６１１Ｂに挟持されることで、管型白熱ランプ２の軸方向に対して直交方向への移動を規制している。また、他方の端子（図１１において不図示）側においては、第１の実施例で説明したように、管型白熱ランプ２の軸方向に対して直交方向への移動を規制している。これらによって、管型白熱ランプ２全体は、その軸方向への移動を一方の端子２６１側に設けた固定手段により規制され、その軸方向に対して直交方向での移動を一方の端子２６１及び他方の端子（図１１において不図示）に設けたランプ保持部６１との構成によって規制される。
【０１５３】
第９の実施例に係る加熱装置１は、加熱装置稼動時における駆動体（図１１において不図示）の振動を受ける場合においても、一方の端子２６１及び他方の端子（図１１において不図示）が管型白熱ランプ２の軸方向に対して直交方向への移動を規制するようにランプ保持部６１に設けられると共に、一方の端子２６１が管型白熱ランプ２の軸方向への移動を規制することにより、例えば不図示のローラの中心軸のような所望の位置から移動することを防止することができる。
【０１５４】
フレーム６が膨張したとき、管型白熱ランプ２の一方の端子２６１は、フレームの一方のランプ保持部６１の位置決め部６１Ｃに嵌合されることにより軸方向の移動を規制されていることから、フレームの膨張と共に移動する。これに対して、管型白熱ランプ２の他方の端子（図１１において不図示）は、フレームの他方のランプ保持部（図１１において不図示）に固定されていないので軸方向への移動を規制されていないことから、フレームの膨張と共に移動する一方の端子６１と共に移動する。例えば図１を用いて説明すると、フレームが紙面左右方向に膨張したとき、一方の端子２６１はフレームの紙面右側の膨張と共に紙面右側に移動する。これに対してフレームの他方のランプ保持部（図１１において不図示）が紙面左側へ膨張しても、他方の端子（図１１において不図示）は、管型白熱ランプ２の一方の端子２６１が紙面右側へ移動しているので、同じく紙面右側に移動する。これにより、他方の端子２６２と他方のランプ保持部６２とが相対的に移動することになる。
すなわち、第９の実施例に係る加熱装置１は、フレームの膨張時において、他方の端子（図１１において不図示）と他方のランプ保持部（図１１において不図示）とが軸方向が相対的に移動するように、他方の端子（図１１において不図示）を他方のランプ保持部（図１１において不図示）に設けたことにより、フレームの膨張を許容することができる。
このとき、他方の端子（図１１において不図示）に設けた接続部（図１１において不図示）も他方のランプ保持部（図１１において不図示）に対して相対的に移動されるが、他方のランプ保持部（図１１において不図示）に設けた接続部挿通孔（図１１において不図示）を管型白熱ランプ２の軸方向に沿って伸びるように設けたことにより、接続部（図１１において不図示）は接続部挿通孔（図１１において不図示）に沿って移動され、フレームの膨張の膨張を許容することができる。
【０１５５】
さらに、第９の実施例に係る加熱装置１は、フレーム６の膨張時において、他方の端子（図１１において不図示）の側面と摺動する摺接面（図１１において不図示）を他方のランプ保持部（図１１において不図示）に設けたことにより、他方の端子（図１１において不図示）と他方のランプ保持部（図１１において不図示）との軸方向の相対的な移動が摺接面（図１１において不図示）に沿って行なわれ、管型白熱ランプ２が例えばローラ（図１１において不図示）の中心軸のような所望な位置から移動することを防止することができる。例えば図１を用いて説明すると、フレーム６が紙面左右方向に膨張するとき、他方の端子（図１１において不図示）の側面（図１１において不図示）と他方のランプ保持部（図１１において不図示）の摺接面（図１１において不図示）とが摺動することで、管型白熱ランプ２がその軸方向に対して直交方向（紙面奥手前方向）へ移動することを防止することができる。すなわち、管型白熱ランプ２は、加熱装置稼動前に位置したその管軸と同軸上の位置に、加熱装置稼動後においても位置することができる。
また、不図示の他方の端子の一対の平坦面（例えば図３（ａ）において、紙面手前側に見えている平坦面と、紙面奥側にある不図示の平坦面）を、他方のランプ保持部６２における載置面に載置させると共に浮き防止面に当接させるように構成し、且つ、一方の端子２６１を、一方のランプ保持部６１における載置面６１Ｂに載置させると共に浮き防止面６１１Ｂに当接されることで、加熱装置稼動後における管型白熱ランプ２の軸方向に対して直交方向への移動を好適に防止することができる。
【０１５６】
このように、第９の実施例に係る加熱装置１は、他方の端子（図１１において不図示）と他方のランプ保持部（図１１において不図示）との構成を上述のようにすることにより、管型白熱ランプを２例えばローラ（図１１において不図示）の中心軸のような所望に位置に保持することができ、他方の端子（図１１において不図示）側にネジ止めのような固定手段を設ける手間がないので簡便な構造とすることができる。さらに、一方の端子２６１側においてもネジ止めのような固定手段を設ける手間がないので、さらなる簡便な構造とすることができる。
その上、第９の実施例に係る加熱装置１は、一方の端子２６１と一方のランプ保持部６１とを例えばネジ止めのような固定手段を設けないことにより、一方の端子２６１にトルクが負荷されることを防止できる。
さらにまた、フレーム６膨張時において、一方の端子２６１が一方のランプ保持部６１に固定されることから、フレーム６の膨張量が許容されるのが他方の端子（図１１において不図示）側であることが事前に分かり、それに基づいて管型白熱ランプ２を設計できることから、管型白熱ランプ２の軸方向における不所望な大型を防止することができる。
【０１５７】
上述の第７〜第９の実施例における一方の端子２６１側の構成は、１本の管型白熱ランプ２を用いて説明したが、複数の管型白熱ランプ２における一方の端子２６１側においても用いることができる。
【図面の簡単な説明】
【０１５８】
【図１】本発明の第１の実施例に係る加熱装置の説明図である。
【図２】本発明の第１の実施例に係る加熱装置の説明図である。
【図３】本発明の第１の実施例に係る加熱装置に具備された管型白熱ランプの説明図である。
【図４】本発明の第２の実施例に係る加熱装置の説明図である。
【図５】本発明の第３及び第４の実施例に係る加熱装置の説明図である。
【図６】本発明の第５の実施例に係る加熱装置の説明図である。
【図７】本発明の第６の実施例に係る加熱装置の説明図である。
【図８】本発明の第７の実施例に係る加熱装置の説明図である。
【図９】本発明の第８の実施例に係る加熱装置の説明図である。
【図１０】本発明の第８の実施例に係る加熱装置の説明図である。
【図１１】本発明の第９の実施例に係る加熱装置の説明図である。
【図１２】従来に係る加熱装置の説明図である。
【図１３】従来に係る加熱装置に具備された管型白熱ランプの説明図である。
【符号の説明】
【０１５９】
１        加熱装置
２        管型白熱ランプ
２１      バルブ
２１１    封止部
２２      フィラメント
２３      内部リード
２４      箔
２５      外部リード
２６１    一方の端子
２６１Ａ  貫通孔
２６１Ｂ  接続部
２６１Ｃ  傾斜部
２６１Ｄ  保持孔
２６１Ｅ  側面
２６１Ｆ  端面
２６１Ｉ  凹部
２６２    他方の端子
２６２Ａ  貫通孔
２６２Ｂ  接続部
２６２Ｃ  傾斜部
２６２Ｄ  保持孔
２６２Ｅ  側面
２６２Ｆ  端面
２６２Ｇ  平坦面
２６２Ｈ  凹部
２７      給電線
２８      ベース
２８１    被覆部
２８２    突出部
２８３    端面
２８４    給電線取出口
３        ローラ
３１      ギア
４        駆動体
５        ローラ保持体
６        フレーム
６１      一方のランプ保持部
６１Ａ    取付孔
６２Ｂ    載置面
６１Ｃ    位置決め部
６１Ｄ    鍔部
６１Ｅ    突出部
６１Ｆ    接続部挿通孔
６１Ｇ    突出防止面
６１Ｈ    嵌合孔
６１１    浮き防止体
６１１Ａ  嵌合部
６１１Ｂ  浮き防止面
６１１Ｃ  接続部挿通孔
６２      他方のランプ保持部
６２Ａ    取付孔
６２Ｂ    載置面
６２Ｃ    摺接面
６２Ｄ    突出防止面
６２Ｅ    浮き防止面
６２Ｆ    接続部挿通孔
６２Ｇ    挿込口
６２Ｈ    凸部
６２Ｉ    隔壁
７        固定体 
【図１】
0005245551.tif 000002
【図２】
0005245551.tif 000003
【図３】
0005245551.tif 000004
【図４】
0005245551.tif 000005
【図５】
0005245551.tif 000006
【図６】
0005245551.tif 000007
【図７】
0005245551.tif 000008
【図８】
0005245551.tif 000009
【図９】
0005245551.tif 000010
【図１０】
0005245551.tif 000011
【図１１】
0005245551.tif 000012
【図１２】
0005245551.tif 000013
【図１３】
0005245551.tif 000014